(57)【要約】【課題】従来の食品包装用ラップフィルム収納箱において、ラップフィルムの切断性能を向上させるとともに、食品包装ラップフィルム収納箱蓋部前面の異なる形状に対応し、繰り返し使用可能な保護具物品を提供すること。【解決手段】食品包装用ラップフィルム収納箱蓋部前面の異なる形状と保護具の二種類の保護板を同形状にし、保護具を食品包装用ラップフィルム収納箱蓋部前面と上面に吸着シートを用いて結合させ使用する、保護具の保護板が食品包装用ラップフィルム収納箱蓋部前面を覆い保護することで歪みを防ぎラップフィルムの切断性能を向上させる。【選択図】図１
2013139293.tif 000002
【特許請求の範囲】
【請求項１】
プラスチック、金属等の軽量硬質材料から成る板状の細長変形五角形の保護板、複数並列状に並べた四角形細棒状材、板状の細長長方形の保護板を順に並列に配置し、屈曲自在の連結部材を介して一連に連結されており、かつ板状の細長変形五角形の保護板及び板状の細長長方形の保護板の表面に指当てを設け、かつその板状の細長変形五角形の保護板及び板状の細長長方形の保護板の裏面側に吸着シートを設けたことを特徴とする食品包装用ラップフィルム収納箱保護具である。
【発明の詳細な説明】
【技術分野】
【０００１】  従来の食品包装用ラップフィルム収納箱において、ラップフィルムの切断性能を向上させる保護具物品に関するものである。
【背景技術】
【０００２】  従来、食品包装用ラップフィルム収納箱は板紙で形成されているため、耐久性に欠けており、ラップフィルムの切断回数を重ねるごとに紙質が衰え、食品包装用ラップフィルム収納箱蓋部前面に歪みが生じる。
【先行技術文献】
【特許文献】
【０００３】
【特許文献１】実用新案登録第３１６９４６５号広報
【発明の概要】
【発明が解決しようとする課題】
【０００４】  従来、食品包装用ラップフィルム収納箱からラップフィルムを引き出し切断する際、食品包装用ラップフィルム収納箱蓋部前面中央の一点を親指で押さえ食品包装用ラップフィルム収納箱を捻りラップフィルムを切断するが、食品包装用ラップフィルム収納箱蓋部前面の左右両端に負荷がかかり歪みが生じ、食品包装用ラップフィルム収納箱蓋部前面と食品包装用ラップフィルム収納箱前面との左右両端の間隔が広がり切断するラップフィルムを押さえることができず、ラップフィルムに捩れが発生しラップフィルムの切断に失敗することがある。【０００５】  食品包装用ラップフィルム製造販売会社各社により、食品包装用ラップフィルム収納箱蓋部前面の形状が、細長変形五角形、細長長方形、蓋部前面の高さの違いなどがあり、異なる形状に対応する必要がある。
本発明は、これらの課題を解決し、従来の食品包装用ラップフィルム収納箱において、ラップフィルムの切断性能を向上させ、繰り返し使用可能な保護具物品を提供することを課題とする。
【課題を解決するための手段】
【０００６】  上記課題を解決するため、プラスチック、金属等の軽量硬質材料から成る板状の細長変形五角形の保護板、複数並列状に並べた四角形細棒状材、板状の細長長方形の保護板を順に並列に配置し、屈曲自在の連結部材を介して一連に連結されており、かつ板状の細長変形五角形の保護板及び板状の細長長方形の保護板の表面に指当てを設け、かつその板状の細長変形五角形の保護板及び板状の細長長方形の保護板の裏面側に吸着シートを設けたことを特徴とする。
【発明の効果】
【０００７】  以上説明したように構成されており、吸着シートの吸着力も用いて、保護具を食品包装用ラップフィルム収納箱蓋部前面及び食品包装用ラップフィルム収納箱蓋部上面に結合させ使用する、保護具と食品包装用ラップフィルム収納箱蓋部が固定され、食品包装用ラップフィルム収納箱蓋部前面を覆う保護板に指当てを設けたことにより、食品包装用ラップフィルム収納箱蓋部の開閉が親指一本で容易にでき、従来の食品包装用ラップフィルム収納箱同様に使用しラップフィルムを切断する、また、使用済み食品包装用ラップフィルム収納箱から保護具を吸着シートとともに剥離することができ、保護具を繰り返し使用することができる。【０００８】  板状の細長変形五角形の保護板及び板状の細長長方形の保護板の二種類の保護板を有する保護具を、食品包装用ラップフィルム収納箱蓋部前面の異なる形状に合わせ保護具自体の向きを変え使用することで、食品包装用ラップフィルム製造販売会社各社の食品包装用ラップフィルム収納箱に使用することができる。【０００９】  食品包装用ラップフィルム収納箱蓋部前面を覆う保護板が、食品包装用ラップフィルム収納箱蓋部前面全体を保護するため、食品包装用ラップフィルム収納箱蓋部前面の左右両端にかかる負荷を無くし歪みを防ぎ、食品包装用ラップフィルム収納箱蓋部前面と食品包装用ラップフィルム収納箱前面との間に隙間が広がらず切断するラップフィルムを押さえことができ、ラップフィルムに捩れが発生しなくなりラップフィルムの切断性能を向上させる。
【図面の簡単な説明】
【００１０】
【図１】保護具の実施形態を示す斜視図である。
【図２】保護具の実施例１を示す斜視図である。
【図３】保護具の実施例２を示す斜視図である。
【発明が実施するための最良の形態】
【００１１】  本発明の実施の形態と実施例にもとづき図面を参照して説明する。
図１は、保護具の実施形態を示す、保護具の板状の細長変形五角形の保護板１と板状の細長長方形の保護板２との二種類の保護板が、食品包装用ラップフィルム製造販売会社各社の食品包装用ラップフィルム収納箱蓋部前面７の異なる形状と同形状であり、食品包装用ラップフィルム収納箱蓋部前面７の形状に合わせ保護具自体の向きを変えて使用することで、保護具の板状の細長変形五角形の保護板１もしくは板状の細長長方形の保護板２のどちらか一方の保護板が、食品包装用ラップフィルム収納箱蓋部前面７の異なる形状に対応するとともに食品包装用ラップフィルム収納箱蓋部前面７に吸着シート６で結合され食品包装用ラップフィルム収納箱蓋部前面７を保護し歪みを防ぐ、もう一方の保護板は食品包装用ラップフィルム収納箱蓋部上面８に吸着シート６で結合される、また、複数並列状に並べた四角形細棒状材３が食品包装用ラップフィルム収納箱蓋部前面７と食品包装用ラップフィルム収納箱蓋部上面８との角の位置で連結部材４を介して屈曲することから、食品包装用ラップフィルム収納箱蓋部前面７の高さの違う形状に対応することができる。
【００１２】  図２、保護具の実施例１であり、食品包装用ラップフィルム収納箱蓋部前面７の形状が細長変形五角形である食品包装用ラップフィルム収納箱に、保護具の板状の細長変形五角形の保護板１を食品包装用ラップフィルム収納箱蓋部前面７に合わせ吸着シート６の吸着力を用いて結合させ食品包装用ラップフィルム収納箱蓋部前面７全体を覆い保護する、複数並列状に並べた四角形細棒状材３が食品包装用ラップフィルム収納箱蓋部前面７の高さの違いに合わせ食品包装用ラップフィルム収納箱蓋部前面７と食品包装用ラップフィルム収納箱蓋部上面８との角の位置で連結部材４を介して屈曲するとともに、板状の細長長方形の保護板２が食品包装用ラップフィルム収納箱蓋部上面８に吸着シート６で結合され、保護具と食品包装用ラップフィルム収納箱蓋部が一体と成り、指当て５に親指を当て食品包装用ラップフィルム収納箱蓋部の開閉を行い、従来の食品包装用ラップフィルム収納箱同様に使用しラップフィルムを切断する。
【００１３】  図３、保護具の実施例２であり、食品包装用ラップフィルム製造販売会社各社の食品包装用ラップフィルム収納箱蓋部前面７の異なる形状に合わせ保護具自体の向きを変えて使用する様子を示す、食品包装用ラップフィルム収納箱蓋部前面７の形状が細長長方形である食品包装用ラップフィルム収納箱に、保護具の板状の細長長方形の保護板２を食品包装用ラップフィルム収納箱蓋部前面７に合わせ吸着シート６の吸着力を用いて結合させ食品包装用ラップフィルム収納箱蓋部前面７全体を覆い保護する、複数並列状に並べた四角形細棒状材３が食品包装用ラップフィルム収納箱蓋部前面７の高さの違いに合わせ食品包装用ラップフィルム収納箱蓋部前面７と食品包装用ラップフィルム収納箱蓋部上面８との角の位置で連結部材４を介して屈曲するとともに、板状の細長変形五角形の保護板１が食品包装用ラップフィルム収納箱蓋部上面８に吸着シート６で結合され、保護具と食品包装用ラップフィルム収納箱蓋部が一体と成り、指当て５に親指を当て食品包装用ラップフィルム収納箱蓋部の開閉を行い、従来の食品包装用ラップフィルム収納箱同様に使用しラップフィルムを切断する。
【符号の説明】
【００１４】１  板状の細長変形五角形の保護板
２  板状の細長長方形の保護板
３  複数並列状に並べた四角形細棒状材
４  屈曲自在の連結部材
５  指当て
６  吸着シート
７  食品包装用ラップフィルム収納箱蓋部前面
８  食品包装用ラップフィルム収納箱蓋部上面
９  食品包装用ラップフィルム収納箱前面
【図１】
2013139293.tif 000003
【図２】
2013139293.tif 000004
【図３】
2013139293.tif 000005